(57)【特許請求の範囲】
【請求項１】
荷台の両側部にソケットを介して直立するステッキを取付けるようにしたステッキの取付け装置において、
前記ソケットが上方が開放されて、上方から前記ステッキの下端部を挿入する収納保持部を具備し、前記収納保持部の荷台の側面方向の内側と外側の内の少なくとも一方が傾斜されて上部側よりも下部側の方が荷台の側面方向の寸法が大きくなっており、
前記ステッキは、前記収納保持部の上部と下部の寸法差に対応する傾斜面を荷台の側面方向の内側と外側の内の少なくとも一方に有し、
前記ステッキと前記ソケットとの間に前記荷台の側面方向に一定の寸法の隙間が形成され、該隙間に該隙間の寸法と実質的に等しい厚さの押え板が挿入されるステッキの取付け装置。
【請求項２】
前記ソケットの上部の前記荷台の側面方向の寸法が、該ソケットの上端と対応する部位の前記ステッキの前記荷台の側面方向の寸法と前記押え板の厚さの和と実質的に等しく、前記ソケットの底部の前記荷台の側面方向の寸法が前記ステッキの下端の前記荷台の側面方向の寸法と前記押え板の厚さの和と実質的に等しく、前記ソケットの開放された上部の前記荷台の側面方向の寸法が前記ステッキの下端の前記荷台の側面方向の寸法よりも大きい請求項１に記載のステッキの取付け装置。
【請求項３】
前記ソケットは、前記荷台の側面方向外側が上部にゆくに従って内側に偏倚するように傾斜し、前記ステッキは、前記荷台の側面方向内側が垂直で、前記荷台の側面方向外側が上部にゆくに従って内側に偏倚するように傾斜している請求項２に記載のステッキの取付け装置。
【請求項４】
前記押え板は、前記ステッキと前記ソケットとの間の挿入方向のすべての高さにおいて同一板厚である請求項２に記載のステッキの取付け装置。
【請求項５】
前記押え板の所定の部位に開口が形成され、前記ステッキの前記荷台の側面方向の内側の切込みを通して治具によって前記押え板が引出される請求項１に記載のステッキの取付け装置。
【請求項６】
前記ソケットが前記荷台床面の下側のクロスメンバの両端に取付けられる請求項１に記載のステッキの取付け装置。
【発明の詳細な説明】
【技術分野】
【０００１】
本発明はステッキの取付け装置に係り、とくに荷台床面の両側部にソケットを介して直立するステッキを取付けるようにしたステッキの取付け装置に関する。
【背景技術】
【０００２】
一般にトラックは、キャブの後側の荷台の部分に各種の物品を搭載して運搬を行なうようにしている。ここで搭載した物品が落下しないように、両側面および後面にはそれぞれゲートが取付けられ、このゲートによって搭載された物品を押えるようにしている。
【０００３】
ところが棒状あるいは柱状の部材であって、荷台の長さ方向に揃えて搭載される場合には、側面にゲートを設ける代わりに、荷台の両側部に前後方向に所定間隔でステッキを立設し、このステッキによって棒状の搭載物が側方に移動して落下するのを押えるようにしている。
【０００４】
木材を荷台の長さ方向に揃えて運搬する木材運搬車の場合には、例えば特開平０９−１４２１９７号公報に開示されているように、車体の両側部にそれぞれステッキを立設して、このステッキによって木材が側方に落下しないようにしている。ここでステッキは、その下端部がステッキ受けによって保持された状態で車体に取付けられるようになっている。
【０００５】
このような長尺の棒状あるいは柱状部材を運搬する車両において、上記ステッキを確実に車体に取付け固定する必要がある。運搬中に振動によってステッキが外れてはならない。そこで従来より、ボルト、楔等の固定手段を用いてステッキを車体側に固定するようにしていた。しかるに従来のこのようなステッキの固定構造は、その着脱が面倒になる欠点があった。
【先行技術文献】
【特許文献】
【０００６】
【特許文献１】特開平０９−１４２１９７号公報
【発明の概要】
【発明が解決しようとする課題】
【０００７】
本願発明の課題は、棒状あるいは柱状の荷物を搭載した場合において、側面側からこれらの棒状あるいは柱状部材を押えるためのステッキが車体側に確実に取付け固定されるようにしたステッキの取付け装置を提供することである。
【０００８】
本願発明の別の課題は、車体側に取付けられたステッキが、走行時の振動等によって脱落しないようにしたステッキの取付け装置を提供することである。
【０００９】
本願発明のさらに別の課題は、車体に対するステッキの取付け固定が確実であって、しかも容易にステッキを取外すことができるようにしたステッキの取付け装置を提供することである。
【００１０】
本願発明のさらに別の課題は、ステッキの車体に対する取付けあるいは取外しの際に、大きな応力がステッキやその取付け装置に加わらないようにしたステッキの取付け装置を提供することである。
【００１１】
本願発明の上記の課題および別の課題は、以下に述べる本願発明の技術的思想、およびその実施の形態によって明らかにされる。
【課題を解決するための手段】
【００１２】
本願の主要な発明は、荷台の両側部にソケットを介して直立するステッキを取付けるようにしたステッキの取付け装置において、
前記ソケットが上方が開放されて、上方から前記ステッキの下端部を挿入する収納保持部を具備し、前記収納保持部の荷台の側面方向の内側と外側の内の少なくとも一方が傾斜されて上部側よりも下部側の方が荷台の側面方向の寸法が大きくなっており、
前記ステッキは、前記収納保持部の上部と下部の寸法差に対応する傾斜面を荷台の側面方向の内側と外側の内の少なくとも一方に有し、
前記ステッキと前記ソケットとの間に前記荷台の側面方向に一定の寸法の隙間が形成され、該隙間に該隙間の寸法と実質的に等しい厚さの押え板が挿入されるステッキの取付け装置に関するものである。
【００１３】
ここで、前記ソケットの上部の前記荷台の側面方向の寸法が、該ソケットの上端と対応する部位の前記ステッキの前記荷台の側面方向の寸法と前記押え板の厚さの和と実質的に等しく、前記ソケットの底部の前記荷台の側面方向の寸法が前記ステッキの下端の前記荷台の側面方向の寸法と前記押え板の厚さの和と実質的に等しく、前記ソケットの開放された上部の前記荷台の側面方向の寸法が前記ステッキの下端の前記荷台の側面方向の寸法よりも大きくてよい。また前記ソケットは、前記荷台の側面方向外側が上部にゆくに従って内側に偏倚するように傾斜し、前記ステッキは、前記荷台の側面方向内側が垂直で、前記荷台の側面方向外側が上部にゆくに従って内側に偏倚するように傾斜していてよい。また前記押え板は、前記ステッキと前記ソケットとの間の挿入方向のすべての高さにおいて同一板厚であってよい。また前記押え板の所定の部位に開口が形成され、前記ステッキの前記荷台の側面方向の内側の切込みを通して治具によって前記押え板が引出されてよい。また前記ソケットが前記荷台床面の下側のクロスメンバーの両端に取付けられてよい。
【発明の効果】
【００１４】
本願の主要な発明は、荷台の両側部にソケットを介して直立するステッキを取付けるようにしたステッキの取付け装置において、
前記ソケットが上方が開放されて、上方から前記ステッキの下端部を挿入する収納保持部を具備し、前記収納保持部の荷台の側面方向の内側と外側の内の少なくとも一方が傾斜されて上部側よりも下部側の方が荷台の側面方向の寸法が大きくなっており、
前記ステッキは、前記収納保持部の上部と下部の寸法差に対応する傾斜面を荷台の側面方向の内側と外側の内の少なくとも一方に有し、
前記ステッキと前記ソケットとの間に前記荷台の側面方向に一定の寸法の隙間が形成され、該隙間に該隙間の寸法と実質的に等しい厚さの押え板が挿入されるステッキの取付け装置に関するものである。
【００１５】
従ってこのようなステッキの取付け装置によると、ソケットにステッキを挿入した状態でステッキとソケットとの間の荷台の側面方向に形成される一定の寸法の隙間に押え板を挿入すると、ソケット内においてステッキが荷台の側面方向に隙間がない状態で押えられる。ここでステッキが離脱方向であって上方に移動しようとすると、ステッキの側面とソケットの側面との間の隙間の寸法が小さくなり、これによって押え板が強く圧縮されることになり、このためにステッキが上方に離脱するのが防止される。従って、振動等によってステッキがソケットから離脱することがなくなる。
【図面の簡単な説明】
【００１６】
【図１】荷台の両側にステッキを立設したトラックの外観斜視図である。
【図２】荷台に対するステッキの取付けのための構造を示す分解斜視図である。
【図３】同ステッキの取付け構造の上方から見た平面図である。
【図４】ソケットの縦断面図（Ａ）、およびステッキを挿入したソケットの縦断面図（Ｂ）である。
【発明を実施するための形態】
【００１７】
以下本願発明を図示の実施の形態によって説明する。この実施の形態は、パイプ、電柱、木材、その他各種の長尺の搭載物を、荷台の長さ方向に互いに平行に配列して搭載するようにしたトラックの全体の構成を示している。このトラックの骨組みは、前後方向に延びる左右一対のシャシフレーム１０から構成されており、シャシフレーム１０の前端側には、キャブ１１が搭載される。そしてシャシフレーム１０の前方と後方とをそれぞれ前輪１３および後輪１４によって支持して走行するようにしている。なおエンジンは、キャブ１１の底部側に収納され、後輪１４の内の後前輪を駆動するようにしている。
【００１８】
次に荷台の構造について説明する。シャシフレーム１０上には、このシャシフレーム１０と直交するように横方向に延びるクロスメンバー１８が取付けられている。そしてクロスメンバー１８の上に、荷台床板１９が取付けられる。そしてクロスメンバー１８の両端に位置するように、荷台の両側にそれぞれソケット２０が取付けられ、このソケット２０によってステッキ２１が前後方向に所定の間隔で立設して取付けられる。なおステッキ２１を保持するソケット２０の取付け位置においては、荷台受板１９が上記ソケット２０と整合する大きさに切欠かれている。
【００１９】
次にステッキ２１の取付け構造について説明すると、図２に示すように、ソケット２０の両側には取付け片２５が設けられており、この取付け片２５によって、ソケット２０はクロスメンバー１８の両端の部分に取付けられるようになっている。取付け片２５がクロスメンバー１８の端部の両側を挟着した状態で、取付け片２５がボルト、溶接、その他の固定手段によってクロスメンバー１８に固定される。ソケット２０は、その内部が空間になっていてステッキ２１を受け入れる収納保持部２６になっている（図４Ａ参照）。収納保持部２６の上部は開口されて上部開口２７を形成している。またソケット２０の底部は、その約１／３の部分が底板２８によって閉じられるとともに、それ以外の部分については底部開口２９になっている。従って、たとえ収納保持部２６に異物等が侵入しても、異物は底部開口２９を通して下方に排出される。
【００２０】
このようなソケット２０に下端が挿入されるステッキ２１は、その内側の側面であって下端側の部分が切込み３４によって切欠かれている。そしてステッキ２１の切込み３４が形成されている部位と上記ソケット２０との間に押え板３５が挿入されるようになっている。押え板３５は、高さ方向に沿って３つの矩形の開口３７、３８、３９を備えている。また上端の両側部が側方に突出して突出部４３を形成している。
【００２１】
ステッキ２１の固定の構造について説明すると、ステッキ２１を上方からソケット２０の上部開口２７を通して収納保持部２６内に挿入する（図２、図４Ｂ参照）。そしてこの後に、ステッキ２１の切込み３４が形成されている側面とソケット２０の対応する面との間に押え板３５を図２〜図４に示すように上方から挿入する。これによってステッキ２１とソケット２０との間の隙間を無くし、ステッキ２１の下端をソケット２０で保持する。
【００２２】
ソケット２０とステッキ２１と押え板３５との寸法関係について説明する。図４Ａに示すように、ソケット２０の上端であって荷台の側面方向の寸法をＡｔとし、ソケット２０の底部であって荷台の側面方向の寸法をＡｂとし、図４Ｂに示すように、ステッキ２１のソケット２０の上端と対応する部位の荷台の側面方向の寸法をＢｔとし、ステッキ２１の下端であって荷台の側面方向の寸法をＢｂとする。また押え板３５の板厚をＴとする。なお押え板３５はその高さ方向のすべての領域における厚さがＴで等しくなっている。
【００２３】
図４における上記の各寸法、Ａｔ、Ａｂ、Ｂｔ、Ｂｂ、Ｔ、の間に次の式が成立する。
【００２４】
Ａｔ＝Ｂｔ＋Ｔ          （１）
Ａｂ＝Ｂｂ＋Ｔ          （２）
Ｂｂ＜Ａｔ              （３）
ここでＡｔ、Ａｂ、Ｂｔ、Ｂｂ、Ｔの各寸法の具体例として、次の各値を示す。
【００２５】
Ａｔ＝１１４ｍｍ
Ａｂ＝１１９ｍｍ
Ｂｔ＝１０５ｍｍ
Ｂｂ＝１１０ｍｍ
Ｔ＝９ｍｍ
なお、これ等の寸法の値は、あくまでも例示であって、本発明の範囲を限定するものではない。
【００２６】
ここでソケット２０は荷台の側面方向内側の部分が垂直であって、荷台の側面方向外側の部分が傾斜し、上端側が内側に傾くようになっている（図４Ａ参照）。またステッキ２１は、荷台の側面方向において内側の部分が垂直であって外側の部分が傾斜している（図４Ｂ参照）。従って図１に示すように、ソケット２０にステッキ２１が挿入されて保持された場合には、ステッキ２１の外側部が内側へ傾斜するような姿勢をとる。
【００２７】
いま図４Ｂに示すように、ソケット２０に対してステッキ２１が上部開口２７から挿入されると、ソケット２０の上端においては、上記（１）式から、ソケット２０とステッキ２１との間の荷台の側面方向の隙間がＴになる。またソケット２０の底部におけるソケット２０とステッキ２１との間の荷台の側面方向の隙間が（２）式からＴになる。すなわち、ソケット２０内にステッキ２１を挿入した状態においては、高さ方向に沿ってすべての高さにおいて、荷台の側面方向にＴの幅の隙間を生ずる。
【００２８】
従って上方から、図２に示すように、押え板３５を挿入すると、ソケット２０とステッキ２１との間の隙間が完全に埋められることになる。ここで押え板３５は板厚がＴであって、隙間の寸法に完全に一致しているために、両者の間に誤差はほとんど発生せず、挿入の際に、必要であれば軽く木槌で叩く程度で挿入することが可能である。押え板３５をソケット２０とステッキ２１との間の荷台の側面方向の隙間に挿入することによって、ステッキ２１の下端部がソケット２０に完全に押えられる。
【００２９】
このような状態において、ソケット２０に対してステッキ２１が上方に移動しようとすると、ステッキ２１の図４Ｂにおける荷台の側面方向外側の部分の傾斜面およびソケット２０の荷台の側面方向外側の部分の傾斜面によって、ソケット２０とステッキ２１との間の荷台の側面方向の隙間が小さくなる。ところが上記の隙間に押え板３５がすでに挿入されているために、ソケット２０に対するステッキ２１の相対的な上方への移動によってステッキ２１が押え板３５を図４Ｂにおいて右方へ押圧する力が発生し、このためにソケット２０とステッキ２１との間、ステッキ２１と押え板３５との間、および押え板３５とソケット２０との間に大きな摩擦力が発生し、これによってステッキ２１が上方に移動するのを阻止する。従って、走行中であって上下方向の振動が加わっても、ステッキ２１が上方に離脱することがない。これによって荷台１９上に搭載された棒状部材あるいは柱状部材が側方に落下することがなく、完全に保護されるようになる。
【００３０】
次に上記ステッキ２１を取外す場合には、押え板３５の高さ方向に沿って形成されている開口３７、３８、３９を利用する。例えば図４Ｂに示すように、ステッキ２１の切込み３４を通してこのステッキ２１内にフック状治具４０を挿入し、この治具４０の先端側の鉤状の部分で押え板３５の開口３７を引掛けて上方に静かに引張ればよい。上述の如くステッキ２１がソケット２０に完全に挿入された場合には、ソケット２０とステッキ２１との間の隙間と押え板３５の板厚Ｔとが等しくなっているために、特別に大きな力を加えなくてもフック状治具４０を上方に引張るだけで、押え板３５を静かに抜去することができる。そしてこの後に、ステッキ２１を上方に移動させてソケット２０から離脱させればよい。（３）式によって、ステッキ２１の下端部の荷台の側面方向の寸法Ｂｂがソケット２０の上端部の荷台の側面方向の寸法Ａｔよりも小さいために、ステッキ２１は容易にソケット２０から引抜いて取外すことが可能になる。
【００３１】
なおステッキ２１の下端側においてその内側面に切込み３４を必ずしも形成する必要はない。すなわち押え板３５の一番上側の開口３７が、ステッキ２１およびこの押え板３５が完全に挿入された状態においてなおソケット２０の上縁よりも上方において露出するようにしておけば、この開口３７を通して引掛けて押え板３５を取外すことができる。あるいはまた押え板３５の両側の肩の部分に突出する突出部４３を側方に延出することによって突出部４３を引掛けてこの押え板３５を取外すことができる。切込み３４をステッキ２１に設けないと、ステッキ２１の強度が低下するのが防止される。
【００３２】
以上本願発明を図示の実施の形態および実施例によって説明したが、本願発明は上記実施の形態によって限定されることなく、本願発明の技術的思想の範囲内において各種の変更が可能である。例えば上記実施の形態における荷台１９上における左右のステッキ２１の本数や間隔については、搭載される荷物の種類等に応じて各種の変更が可能である。
【産業上の利用可能性】
【００３３】
本願発明は、棒状部材、柱状部材、パイプ状部材、木材等を運搬するためのトラック、セミトレーラ、あるいはトレーラのステッキの取付け装置に利用することができる。
【符号の説明】
【００３４】
１０  シャシフレーム
１１  キャブ
１３  前輪
１４  後輪
１８  クロスメンバー
１９  荷台床板
２０  ソケット
２１  ステッキ
２５  取付け片
２６  収納保持部
２７  上部開口
２８  底板
２９  底部開口
３４  切込み
３５  押え板
３７〜３９  開口
４０  フック状治具
４３  突出部
【図１】
0005848115.tif 000002
【図２】
0005848115.tif 000003
【図３】
0005848115.tif 000004
【図４】
0005848115.tif 000005